(57)【要約】【課題】他のユーザによるなりすまし等を防止できる認証装置を提供する。【解決手段】認証装置は、ユーザが特定の記憶を想起しているときに測定して得られた脳反応パターンを記憶する記憶部と、認証時にユーザが特定の記憶を想起している状態でユーザの脳反応パターンを取得する取得部と、取得部が取得した脳反応パターンと、記憶部が記憶している脳反応パターンとの間に一定以上の相関があるか否かを判定する判定部と、判定部の判定に基づいて認証を実行する認証部と、を備える。【選択図】図２
2018190164.tif 000002
【特許請求の範囲】
【請求項１】
認証を行うための認証装置であって、
外部の装置とネットワークを介して通信を実行する通信部と、
ユーザが特定の記憶を想起しているときに測定して得られた脳反応パターンを記憶する記憶部と、
制御部と、からなり、
前記制御部は、
認証時に前記ユーザが特定の記憶を想起している状態で前記ユーザの脳反応パターンを前記外部の装置から取得する取得部と、
前記取得部が取得した脳反応パターンと、前記記憶部が記憶している脳反応パターンとの間に一定以上の相関があるか否かを判定する判定部と、
前記判定部の判定に基づいて認証を実行する認証部と、
を備える認証装置。
【請求項２】
前記記憶部が記憶する脳反応パターンは、前記ユーザが特定の記憶を想起しているときの脳反応パターンであって、特定の環境下において測定した脳反応パターンであり、
前記取得部は、前記特定の環境下における前記ユーザの脳反応パターンを取得する
ことを特徴とする請求項１に記載の認証装置。
【請求項３】
前記特定の環境下とは、前記ユーザが特定の画像を視認している状態である
ことを特徴とする請求項２に記載の認証装置。
【請求項４】
前記特定の環境下とは、前記ユーザが特定の音を聞いている状態である
ことを特徴とする請求項２に記載の認証装置。
【請求項５】
ユーザの仮想空間上における行動を示す行動情報を記憶する記憶部と、
前記仮想空間と同一の仮想空間を提供する提供部と、
前記提供部が提供した仮想空間におけるユーザの行動と、前記行動情報とが示す行動との間に一定以上の相関があるか否かを判定する判定部と、
前記判定部の判定に基づいて認証を実行する認証部と、
を備える認証装置。
【請求項６】
前記記憶部は、さらに、前記行動情報で示される行動をとったときの前記ユーザの脳反応パターンを記憶し、
前記認証装置は、さらに、前記提供部が提供した仮想空間におけるユーザの行動時の脳反応パターンを取得する取得部を備え、
前記判定部は、更に、前記取得部が取得した脳反応パターンと、前記記憶部に記憶されている脳反応パターンとの間に一定以上の相関があるか否かを判定し、
前記判定部は、更に、前記脳反応パターンの判定にも基づいて認証を実行する
ことを特徴とする請求項５に記載の認証装置。
【請求項７】
ユーザが特定の記憶を想起しているときに測定して得られた脳反応パターンを予め記憶する記憶ステップと、
認証時に前記ユーザが特定の記憶を想起している状態で前記ユーザの脳反応パターンを取得する取得ステップと、
前記取得ステップにおいて取得した脳反応パターンと、前記記憶ステップにおいて記憶した脳反応パターンとの間に一定以上の相関があるか否かを判定する判定ステップと、
前記判定ステップにおける判定に基づいて認証を実行する認証ステップと、
を含む認証方法。
【請求項８】
コンピュータに、
ユーザが特定の記憶を想起しているときに測定して得られた脳反応パターンを予め記憶する記憶機能と、
認証時に前記ユーザが特定の記憶を想起している状態で前記ユーザの脳反応パターンを取得する取得機能と、
前記取得機能が取得した脳反応パターンと、前記記憶機能が記憶した脳反応パターンとの間に一定以上の相関があるか否かを判定する判定機能と、
前記判定機能による判定に基づいて認証を実行する認証機能と、
を実現させる認証プログラム。
【請求項９】
ユーザの仮想空間上における行動を示す行動情報を記憶する記憶ステップと、
前記仮想空間と同一の仮想空間を提供する提供ステップと、
前記提供ステップにおいて提供した仮想空間におけるユーザの行動と、前記行動情報とが示す行動との間に一定以上の相関があるか否かを判定する判定ステップと、
前記判定ステップにおける判定に基づいて認証を実行する認証ステップと、
を含む認証方法。
【請求項１０】
ユーザの仮想空間上における行動を示す行動情報を記憶する記憶機能と、
前記仮想空間と同一の仮想空間を提供する提供機能と、
前記提供機能が提供した仮想空間におけるユーザの行動と、前記行動情報とが示す行動との間に一定以上の相関があるか否かを判定する判定機能と、
前記判定機能の判定に基づいて認証を実行する認証機能と、
を実現させる認証プログラム。
【発明の詳細な説明】
【技術分野】
【０００１】
本発明は、認証を行うための認証装置、認証方法、及び認証プログラムに関する。
【背景技術】
【０００２】
従来、何らかのシステムを利用したり、建物や部屋へ入退室したりするに際して認証を行うことがある。このような認証の手法としては、例えば、パスワードを入力したり、固有のＩＣカードを利用したりする認証など様々なものがある。また、その他にも、特許文献１や特許文献２などに示されるように、人の生体情報を利用した認証も提案されている。
【先行技術文献】
【特許文献】
【０００３】
【特許文献１】特表２０１６−５１３３１９号公報
【特許文献２】特開２００５−２９３２０９号公報
【発明の概要】
【発明が解決しようとする課題】
【０００４】
ところで、上記特許文献１においては、ユーザに対して、写真や映画、オーディオトラック、質問などの刺激を与え、そのときの脳波を認証に利用する技術が開示されているものの、さらに、なりすまし等の不正行為を防止できる認証技術が望まれている。特許文献２においては、ユーザが不正な操作を強要された場合にもこれを感知する認証装置が開示されているが、不正行為を防止する技術は更なる発展が望まれている。
【０００５】
そこで、本発明は上記問題に鑑みて成されたものであり、人の生体情報を利用したものであって、個々人に特化した認証を行うことができる認証装置、認証方法、認証プログラムを提供することを目的とする。
【課題を解決するための手段】
【０００６】
上記課題を解決するために、本発明の一態様に係る認証装置は、認証を行うための認証装置であって、外部の装置とネットワークを介して通信を実行する通信部と、ユーザが特定の記憶を想起しているときに測定して得られた脳反応パターンを記憶する記憶部と、制御部と、からなり、制御部は、認証時にユーザが特定の記憶を想起している状態でユーザの脳反応パターンを外部の装置から取得する取得部と、取得部が取得した脳反応パターンと、記憶部が記憶している脳反応パターンとの間に一定以上の相関があるか否かを判定する判定部と、判定部の判定に基づいて認証を実行する認証部と、を備える。
【０００７】
上記認証装置において、記憶部が記憶する脳反応パターンは、ユーザが特定の記憶を想起しているときの脳反応パターンであって、特定の環境下において測定した脳反応パターンであり、取得部は、特定の環境下におけるユーザの脳反応パターンを取得することとしてもよい。
【０００８】
また、上記認証装置において、特定の環境下とは、ユーザが特定の画像を視認している状態であることとしてもよい。
【０００９】
また、上記認証装置において、特定の環境下とは、ユーザが特定の音を聞いている状態であることとしてもよい。
【００１０】
また、本発明の一態様に係る認証装置は、ユーザの仮想空間上における行動を示す行動情報を記憶する記憶部と、仮想空間と同一の仮想空間を提供する提供部と、提供部が提供した仮想空間におけるユーザの行動と、行動情報とが示す行動との間に一定以上の相関があるか否かを判定する判定部と、判定部の判定に基づいて認証を実行する認証部と、を備える。
【００１１】
上記認証装置において、記憶部は、さらに、行動情報で示される行動をとったときのユーザの脳反応パターンを記憶し、認証装置は、さらに、提供部が提供した仮想空間におけるユーザの行動時の脳反応パターンを取得する取得部を備え、判定部は、更に、取得部が取得した脳反応パターンと、記憶部に記憶されている脳反応パターンとの間に一定以上の相関があるか否かを判定し、判定部は、更に、脳反応パターンの判定にも基づいて認証を実行することとしてよい。
【００１２】
また、本発明の一態様に係る認証方法は、ユーザが特定の記憶を想起しているときに測定して得られた脳反応パターンを予め記憶する記憶ステップと、認証時にユーザが特定の記憶を想起している状態でユーザの脳反応パターンを取得する取得ステップと、取得ステップにおいて取得した脳反応パターンと、記憶ステップにおいて記憶した脳反応パターンとの間に一定以上の相関があるか否かを判定する判定ステップと、判定ステップにおける判定に基づいて認証を実行する認証ステップと、を含む。
【００１３】
また、本発明の一態様に係る認証プログラムは、コンピュータに、ユーザが特定の記憶を想起しているときに測定して得られた脳反応パターンを予め記憶する記憶機能と、認証時にユーザが特定の記憶を想起している状態でユーザの脳反応パターンを取得する取得機能と、取得機能が取得した脳反応パターンと、記憶機能が記憶した脳反応パターンとの間に一定以上の相関があるか否かを判定する判定機能と、判定機能による判定に基づいて認証を実行する認証機能とを実現させる。
【００１４】
また、本発明の一態様に係る認証方法は、ユーザの仮想空間上における行動を示す行動情報を記憶する記憶ステップと、仮想空間と同一の仮想空間を提供する提供ステップと、提供ステップにおいて提供した仮想空間におけるユーザの行動と、行動情報とが示す行動との間に一定以上の相関があるか否かを判定する判定ステップと、判定ステップにおける判定に基づいて認証を実行する認証ステップと、を含む。
【００１５】
また、本発明の一態様に係る認証プログラムは、ユーザの仮想空間上における行動を示す行動情報を記憶する記憶機能と、仮想空間と同一の仮想空間を提供する提供機能と、提供機能が提供した仮想空間におけるユーザの行動と、行動情報とが示す行動との間に一定以上の相関があるか否かを判定する判定機能と、判定機能の判定に基づいて認証を実行する認証機能とを実現させる。
【発明の効果】
【００１６】
本発明の一態様に係る認証装置は、ユーザが特定の記憶を想起しているとき、例えば、ユーザにとって印象深い思い出を想起しているときのユーザの脳波を利用して認証を行うので、個々人に特化した認証を行う認証装置を提供することができる。また、認証装置は、ユーザに固有の思い出を想起しているときの脳波を認証に利用することで、その思い出を知らない他のユーザによるなりすましを防止できる。
【図面の簡単な説明】
【００１７】
【図１】認証システムのシステム構成例を示すシステム図である。
【図２】認証装置の構成例を示すブロック図である。
【図３】認証情報のデータ構成例を示すデータ概念図である。
【図４】（ａ）、（ｂ）は、脳反応パターン情報の一例を示す図である。
【図５】認証システム１におけるやり取りを示すシーケンス図である。
【図６】認証装置の認証に係る動作例を示すフローチャートである。
【図７】認証装置の認証に係る他の動作例を示すフローチャートである。
【図８】認証装置の認証に係る他の動作例を示すフローチャートである。
【図９】脳活性化パターンの一例を示すイメージ図である。
【図１０】認証装置の他の構成例を示すブロック図である。
【発明を実施するための形態】
【００１８】
以下、本発明の一実施態様に係る認証システムについて、図面を参照しながら詳細に説明する。
【００１９】
＜実施の形態＞
＜構成＞
図１は、認証を行うための認証システム１の一構成例を示す概略図である。図１に示すように、認証システム１は、認証装置１００と、脳反応検出装置２００ａと、脳反応検出装置２００ｂとを含む。認証装置１００は、ネットワーク３５０を介して、脳反応検出装置２００ａや、施解錠装置４１０と接続されている。
【００２０】
認証システム１が行う認証は、脳反応検出装置２００ａ、２００ｂが検出したユーザの脳波や脳の活性化パターンを利用して、ユーザの正当性を検証するための認証を行うものであり、どのような認証のためのものであってもよい。当該認証としては、例えば、何らかのシステムやサービスを利用するための認証であったり、建築物や建築物内の部屋に入室するための認証であったり、鍵がかけられた箱などを開閉するための認証であったりしてよい。図１においては、扉４００の開閉を行うための認証を行う例を示している。
【００２１】
ユーザ３０は、扉４００を開きたい場合に、扉４００の施解錠装置４１０に接続された脳反応検出装置２００ｂを装着する。脳反応検出装置２００ｂは、ユーザ３０が特定の記憶、例えば、ユーザ３０にとって印象深い思い出を想起している状態での脳波を検出し、検出した脳反応パターンを、認証装置１００に送信する。脳反応検出装置２００ａ、２００ｂは、少なくとも一般に知られる脳波計として機能する機器の機能を有する装置であればよく、装着したユーザの脳波が検出できればよい。
【００２２】
認証装置１００は、予めユーザ３０にとって印象深い思い出を想起している状態で取得した脳反応パターンを、事前（認証前）に記憶している。当該脳反応パターンは、脳反応検出装置２００ａ、２００ｂのいずれで検出されたものであってよい。なお、脳反応パターンは、脳の反応を示す情報であって、脳波波形や脳活性化パターン等のユーザ３０の脳の反応に応じたパターンを示すものである。
【００２３】
認証装置１００は、脳反応検出装置２００ｂが検出したユーザの脳反応パターンと、予め記憶している脳反応パターンとの間で相関をとって、一定以上の相関があるか否かに応じて認証を行う。一定以上の相関があった場合に、「認証可」とし、一定以上の相関がなかった場合に、「認証不可」とする。ここで、「認証可」とは、ユーザに正当性があることを示し、「認証不可」とは、ユーザに正当性がないことを示す。認証装置１００は、認証を行った結果を示す結果情報を、例えば、扉４００に備えられた施解錠装置４１０に送信する。そして、施解錠装置４１０は、受信した結果情報に従って、扉４００を開いたり、開かなかったりする。即ち、施解錠装置４１０は、「認証可」を示す結果情報を受信した場合に、扉４００の鍵を開錠し、「認証不可」を示す結果情報を受信した場合に扉４００の鍵を開錠しない。
【００２４】
このような認証システム１における認証装置１００について詳細に説明する。図２は、認証装置１００の構成例を示すブロック図である。図２に示すように、認証装置１００は、通信部１１０と、記憶部１２０と、制御部１３０とを備える。通信部１１０と、記憶部１２０と、制御部１３０とは、互いにバス１４０を介して接続されている。
【００２５】
通信部１１０は、外部の装置と、ネットワーク３５０を介して、通信を実行する機能を有する。外部の装置としては、例えば、脳反応検出装置２００ｂや施解錠装置４１０が該当する。通信部１１０は、脳反応検出装置２００ｂからユーザ３０の脳反応パターンを示す脳反応パターン情報を受信し、制御部１３０に伝達する機能を有する。ここで、脳反応パターンを示す脳反応パターン情報にはユーザ３０を特定するためのユーザ識別情報が対応付けられており、どのユーザの脳反応パターンであるかを特定可能に構成されている。なお、どのユーザの脳反応パターンであるかを特定可能であれば、ユーザ識別情報はどのような態様で受け付けてもよい。例えば、脳反応パターンを受け付けたタイミングで同時にユーザを識別するための識別情報を別途オペレータ等から受け付けて、脳反応パターンと認証対象のユーザとを対応付けることとしてもよい。また、通信部１１０は、制御部１３０の認証部１３３から伝達された認証の結果を示す結果情報を、施解錠装置４１０に送信する機能も有する。
【００２６】
記憶部１２０は、認証装置１００が動作する上で必要とする各種データやプログラムを記憶する機能を有する。記憶部１２０は、例えば、ＳＳＤ、ＨＤＤ、フラッシュメモリなど各種の記憶媒体により実現できるがこれらに限定されるものではない。記憶部１２０は、ユーザが特定の記憶を想起しているときに測定して得られた脳反応パターンを示す情報を記憶する機能を有する。ここで、特定の記憶とは、特に、ユーザにとって忘れがたい過去の思い出や、印象深い過去の思い出のことをいい、幼少期や思春期の思い出などが該当するが、これらに限定されるものではない。ユーザにとって忘れがたい思い出や、印象深い思い出は、各ユーザにとって固有のものであり、同じ体験を複数のユーザが経験したとしてもその時の印象はユーザ各々に固有のものとなり得る。したがって、思い出は各ユーザにとって固有のものであるため、印象深い思い出を想起しているときの脳反応パターンを認証に用いることで、他のユーザがなりすましを行うことができない認証システムを提供することができる。具体的には、記憶部１２０は、ユーザ各々について、認証に用いる脳反応パターンの情報を含む認証情報３００を記憶している。認証情報３００の更なる詳細については後述する。また、記憶部１２０は、制御部１３０が実行するものであって、認証時におけるユーザ３０の脳反応パターンを利用した認証を実行するための処理を示す認証プログラムを記憶している。
【００２７】
制御部１３０は、記憶部１２０に記憶している各種のプログラムを読み出して実行するプロセッサであって、認証装置１００の各部を制御する機能を有する。制御部１３０は、取得部１３１、判定部１３２、認証部１３３として機能する。また、制御部１３０は、脳反応パターン情報の登録の要求に基づいて、脳反応パターン情報に対応付けられているユーザを識別するための識別情報に対応付けて、受け付けた脳反応パターン情報を、認証情報３００に登録する機能も有する。また、このとき、認証装置１００が受信した脳反応パターン情報に環境情報が対応付けられていた場合には、制御部１３０は、当該環境情報も対応付けて登録する。環境情報の詳細は後述する。
【００２８】
取得部１３１は、認証時にユーザ３０が特定の記憶を想起している状態でのユーザ３０の脳反応パターンを取得する機能を有する。具体的には、取得部１３１は、通信部１１０が脳反応検出装置２００ｂから送信されたユーザ３０の脳反応パターンを示す情報を受信し、通信部１１０が制御部１３０に伝達した脳反応パターンを示す情報を取得する機能を有する。
【００２９】
判定部１３２は、取得部１３１が取得した脳反応パターンの１つである脳波波形を示す情報で示される脳波波形と、記憶部１２０が記憶しているユーザ３０の脳波波形との間に一定以上の相関があるか否かを判定する機能を有する。このとき、判定部１３２は、脳波として検出されるδ波、θ波、α波、β波のいずれの周波数の脳波の相関をとってもよいし、複数の周波数の脳波各々の相関をとってもよい。複数の周波数の脳波を用いる場合には、判定部１３２は、全ての周波数において一定以上の相関があるか否かを判定することとしてもよいし、相関値の平均値が一定値以上となっているか否かに基づいて一定以上の相関があるか否かを判定することとしてもよい。また、判定部１３２は、ユーザ３０が印象深い思い出を想起しているときに、固有の波形が現出しやすい帯域の脳波の相関をとることとしてもよい。ここで、固有の波形とは、例えば、印象深い思い出を想起しているときに振幅が活性化しやすい、あるいは、記憶形成に作用しやすいγ波、θ波のことであってもよいし、あるいは、ユーザの脳において、その時に脳波が活性しやすい部位（例えば、側頭葉部分）において活性していることを見て取れるときの脳活性化パターンであってもよい。また、活性化しているとは、例えば、振幅が所定の閾値を超えているときや、振幅幅が所定以上の場合などであってよい。なお、δ波とは、０．５〜４Ｈｚ未満の周波数帯域の脳波であり、θ波とは、４〜８Ｈｚ未満の周波数帯域の脳波であり、α波とは、８〜１３Ｈｚ未満の周波数帯域の脳波であり、β波とは、１３Ｈｚ以上の周波数帯域の脳波のことをいう。脳波活性化パターンは、図９に示すような脳の活性化している箇所を測定し、その活性化している箇所をマーキングしたイメージデータのパターンとしてもよい。図９においては、ユーザ３０の脳９００内において、活性化している箇所において、活性範囲を円９０１の大きさで、活性の度合を円９０１のグラデーションにおける色合いの強さで表現した例を示している。なお、図９においては２次元画像として示しているが、これは、ＸＹＺの座標で脳反応パターンを測定して、活性化している箇所を３次元の座標上にマーキングした３次元画像であってもよい。また、活性化している箇所を円９０１で示しているが、脳が活性化している箇所のマーキングは円である必要もなく、活性化していることが理解できれば、どのようなマークであってもよい。
【００３０】
認証部１３３は、判定部１３２が判定した判定に基づいて認証を実行する機能を有する。具体的には、認証部１３３は、取得部１３１が取得した脳反応パターンと、記憶部１２０が記憶しているユーザ３０の脳反応パターンとの間に一定以上の相関があると判定部１３２が判定した場合に、認証可、即ち、ユーザ３０に正当性があると認証する。また、認証部１３３は、取得部１３１が取得した脳反応パターンと、記憶部１２０が記憶しているユーザ３０の脳反応パターンとの間に一定以上の相関がないと判定部１３２が判定した場合に、認証不可、即ち、ユーザ３０に正当性がないと認証する。また、認証部１３３は、認証の結果を示す結果情報を、施解錠装置４１０に送信するよう、通信部１１０に指示する機能も有する。
【００３１】
以上が認証装置１００の構成の説明である。
【００３２】
なお、脳反応検出装置２００ｂについて簡単に説明すると、脳反応検出装置２００ｂは、例えば、ユーザの頭部に装着し、ユーザに電極パッドが密着するように構成されている。そして、脳反応検出装置２００ｂは、当該電極パッドを介して、ユーザの脳波を検出する検出機能と、検出した脳波を示す脳反応パターン情報を認証装置１００に送信する機能とを実現する。また、脳反応検出装置２００ｂは、ユーザ３０を固有に識別する識別情報を受け付ける機能も有し、脳反応パターン情報とともに認証装置１００に送信する機能を実現する。脳反応検出装置２００ｂは、一定時間検出した脳波を波形とした脳反応パターン情報を認証装置１００に送信することとする。
【００３３】
＜データ＞
図３は、認証情報３００の構成例を示すデータ概念図である。認証情報３００は、認証装置１００が認証の際に参照する情報であって、ユーザが特定の記憶を想起しているときに測定して得られた脳反応パターンの情報を含む。図３に示すように、認証情報３００は、ユーザ識別情報３０１と、脳反応パターン情報３０２と、環境情報３０３とが対応付けられた情報として構成されてよい。
【００３４】
ユーザ識別情報３０１は、認証システム１において、各ユーザを個別に認識するための情報であって、ユーザ固有の識別情報である。ユーザ識別情報３０１は、例えば、ユーザの名前や、ユーザに対して認証システム１上で固有にふられた識別番号などであってよい。当該ユーザ識別情報３０１は、例えば、認証システム１のオペレータが、適宜新たな脳反応パターン情報を登録するごとに、キーボードやタッチパネルなどの入力デバイスを用いて入力することにより登録することとしてもよいし、認証システム１が、新たな脳反応パターン情報を登録する際に、それまでに使用していない新たなユーザ識別情報を生成して付与することで登録することとしてもよい。
【００３５】
脳反応パターン情報３０２は、認証を行う前に、対応するユーザから予め測定して得られた脳反応パターンを示す情報であって、ユーザが特定の記憶を想起しているときに測定して得られた脳反応パターンを示す情報である。脳反応パターン情報３０２が予め保持されていることにより、認証時に測定されるユーザ３０の脳反応パターンとの相関をとることができる。ここでは、対応する脳反応パターンを示す情報として、その脳反応パターンに対応するファイル名を示している。
【００３６】
環境情報３０３は、脳反応パターン情報３０２で示される脳反応パターンを測定したときのユーザの環境を示す情報である。環境情報３０３は、例えば、脳反応パターンを測定したときに、ユーザに対して特定の画像を提示していた場合には、その特定の画像を示す画像ファイル情報であったり、脳反応パターンを測定したときに、ユーザに対して特定の音声を聞かせていた場合には、その特定の音声を示す音声ファイルであったりしてよい。また、環境情報３０３は、例えば、脳反応パターンを測定したときに、ユーザに対して提示していた質問や会話の内容を示す情報などであってもよく、この場合これらの内容を示すテキストファイルやその音声ファイルであってもよい。
【００３７】
以上が、認証情報３００の説明である。
【００３８】
図４は、脳反応パターン情報３０２の一例を示す図である。図４（ａ）は、脳反応パターン情報を１次元で表現した場合の例を示しており、図４（ｂ）は、脳反応パターン情報を２次元で表現した場合の例を示している。
【００３９】
図４（ａ）は、脳波に係る各周波数帯の経過時間に応じた振幅で脳反応パターン情報３０２を示した例である。図４（ａ）に示すように、脳反応パターン情報３０２は、横軸に時間軸をとった、一定時間測定したユーザの脳波の波形画像の情報である。ここでは、δ波、θ波、α波、β波、それぞれの波形を含んだ脳反応パターン情報を示しているが、脳反応パターン情報３０２は、これらの一部のみであってもよいし、これらを統合した統合波形を脳反応パターン情報３０２としてもよい。また、ここでは、波形で示しているが、これは、例えば、時間を変数とした脳反応パターンを示す関数として表現されることとしてもよい。
【００４０】
図４（ｂ）は、あるタイミングにおける脳内における脳波の分布で脳反応パターン情報３０２を示した例である。図４（ｂ）は、ユーザの頭部の脳内における脳波の分布例を示した図である。図４（ｂ）に示すように、脳反応パターン情報３０２は、あるタイミングにおいて、脳内の各箇所で測定された脳波の周波数分布または、脳波の振幅の分布で表現されてもよく、カラーコンター画像として表現されてよい。周波数分布と、振幅分布とは、基本的には分布の仕方が異なってくる。図４（ｂ）において、互いに異なるハッチングをしている場合には、異なる周波数または異なる振幅になっている。なお、周波数は振幅の分布表現においては、振幅幅で分布を分けるとしてもよいし、グラデーションで表現することとしてもよい。また、図４（ｂ）の場合、脳反応パターン情報３０２は、ユーザ毎に、測定にかかった時間帯における各時間ごと（例えば、１秒毎）の脳波のカラーコンター画像が存在してよい。
【００４１】
以上が、認証装置１００が利用するデータについての説明である。
【００４２】
＜動作＞
ここから、認証システム１における動作について説明する。図５は、認証システム１における認証に係るやり取りを示すシーケンス図である。
【００４３】
図５に示すように、認証システム１においては、認証の事前準備として、ユーザの脳反応パターン情報を認証装置１００に登録しておく必要がある。ユーザは脳反応検出装置２００ａを装着して、脳波を検出する。脳反応検出装置２００ａは、検出した脳波に基づく一定時間分の脳反応パターン情報を、脳波を測定したユーザを特定するためのユーザを識別する識別情報とともに認証装置１００に送信して脳反応パターン情報の登録を要求する（ステップＳ５０１）。ここで、脳反応検出装置２００ａを装着したユーザは、自身にとって印象深い思い出を想起する。そして、脳反応検出装置２００ａは、ユーザが印象深い思い出を想起しているときの脳波を検出する。
【００４４】
認証装置１００は、脳反応検出装置２００ａから、脳反応パターン情報とユーザを識別する識別情報とを受信すると、受信したユーザを識別する識別情報をユーザ識別情報３０１とし、当該ユーザ識別情報に対応付けて、脳反応パターン情報を脳反応パターン情報３０２として登録する（ステップＳ５０２）。
【００４５】
一方、認証を行うときには、ユーザは、認証を行う場所（例えば、扉４００を開くための認証を行う際には、扉４００に対応付けられた脳反応検出装置２００ｂが設けられている場所）において脳反応検出装置２００ｂを装着する。そして、ユーザは、自身にとって印象深い思い出であって、ステップＳ５０１において想起していた思い出と同じ思い出を想起する。脳反応検出装置２００ｂは、ユーザが印象深い思い出を想起しているときの脳波を一定時間分検出する。そして、脳反応検出装置２００ｂは、検出して得られた脳反応パターンを示す脳反応パターン情報を、脳反応検出装置２００ｂを装着しているユーザを示すユーザを識別する識別情報とともに送信する（ステップＳ５０３）。当該識別情報は、ユーザが扉４００等に設けられている入力コンソール等を用いて入力することとしてよい。なお、ここでは、脳反応検出装置２０ｂは扉４００の近くに設けられている例を示しているが、脳反応検出装置２００ｂは、扉４００に対応付けられていることを認証システム１が認識できるように構成されていれば、扉４００（認証対象の機器、システム）から離れた遠隔地に脳反応検出装置２００ｂを設置して認証を行うこととしてもよい。また、この場合、脳波認証装置２００ｂは、複数の扉（認証対象の機器、システム）と対応付けられてもよく、そのときには、脳反応検出を行うときにユーザがどこの認証を行うのかを指定する構成としてもよい。
【００４６】
認証装置１００は、脳反応検出装置２００ｂを装着しているユーザに対応付けられている記憶部１２０に記憶された脳反応パターン情報を用いて、受信した脳反応パターン情報の認証を実行する（ステップＳ５０４）。
【００４７】
そして、認証装置１００は、認証結果を示す結果情報を、施解錠装置４１０に送信する（ステップＳ５０５）。
【００４８】
施解錠装置４１０は、受信した結果情報に基づいて、扉４００の鍵の施解錠を実行する（ステップＳ５０６）。
【００４９】
このような認証を行うことができる認証装置１００の動作について説明する。図６は、認証装置１００の動作を示すフローチャートである。
【００５０】
図６に示すように、通信部１１０が情報を受信すると、当該情報が、脳反応パターン情報の登録の要求であるか否かを判定する（ステップＳ６０１）。当該判定は、例えば、受信した情報のヘッダ情報を解析することにより実現することとしてよい。ここで、通信部１１０が受信する脳反応パターン情報には、当該脳反応パターン情報で示される脳反応パターンがどのユーザのものであるかを示すユーザを示す識別情報が対応付けられていてもよく、脳波を検出した状況を示す環境情報も対応付けられていてもよい。ユーザを示す識別情報は別途入力されてもよい。
【００５１】
通信部１１０が受信した情報が、脳反応パターン情報の登録の要求であった場合には（ステップＳ６０１のＹＥＳ）、通信部１１０は、当該登録の要求を制御部１３０に伝達する。制御部１３０は、受け付けた脳反応パターン情報を、当該脳反応パターン情報とともに受け付けたユーザを示す識別情報をユーザ識別情報３０１として対応付けて認証情報３００に登録する。また、制御部１３０は、脳反応パターン情報に環境情報も対応付けられていた場合には、併せて、環境情報も認証情報３００に登録する（ステップＳ６０２）。その後に、認証装置１００は、通信部１１０が次の情報を受信するまで待機する（ステップＳ６０１に戻る）。
【００５２】
通信部１１０が受信した情報が、脳反応パターン情報の登録の要求ではなかった場合には（ステップＳ６０２のＮＯ）、受信した情報が、脳反応パターン情報であるか否かを判定する（ステップＳ６０３）。受信した情報が、脳反応パターン情報でなかった場合には（ステップＳ６０３のＮＯ）、認証装置１００は、通信部１１０が次の情報を受信するまで待機する（ステップＳ６０１に戻る）。
【００５３】
通信部１１０が受信した情報が、脳反応パターン情報であった場合には（ステップＳ６０３のＹＥＳ）、通信部１１０は、受信した脳反応パターン情報を制御部１３０に伝達する。ここで、脳反応パターン情報には、当該脳反応パターン情報で示される脳反応パターンがどのユーザの脳反応パターンであるかを示すユーザを示す識別情報が対応付けられている。取得部１３１は、制御部１３０に伝達された脳反応パターン情報を対応付けられているユーザを示す識別情報とともに取得する。
【００５４】
判定部１３２は、取得部１３１が取得したユーザを示す識別情報と一致するユーザ識別情報３０１を認証情報３００を参照して特定する。そして、特定したユーザ識別情報３０１に対応付けられている脳反応パターン情報３０２を特定する（ステップＳ６０４）。
【００５５】
判定部１３２は、取得部１３１が取得した脳反応パターン情報で示される脳反応パターンと、認証情報３００において特定した脳反応パターン情報３０２で示される脳反応パターンとの相関をとって、相関値を算出する（ステップＳ６０５）。当該相関は、例えば、脳反応パターンで示される画像同士の相関をとるものであってもよいし、各脳反応パターンを示す関数同士の相関をとるものであってもよい。
【００５６】
判定部１３２は、算出した相関値が、予め定められた閾値以上であるか否かを判定する（ステップＳ６０６）。ここで、閾値は、認証装置１００が受信した脳反応パターン情報で示される脳反応パターンに対応するユーザが、正当性を有するか否かを判断するための閾値であり、例えば、認証装置１００のオペレータによって設定される値である。当該閾値は、経験則により設定することとしてもよいし、認証装置１００が、認証について、実行した認証が正しかったか否かの情報を受け付けて学習する学習部を備える場合には、当該学習部が設定することとしてもよい。
【００５７】
判定部１３２が、算出した相関値が閾値以上であると判定した場合には（ステップＳ６０６のＹＥＳ）、認証部１３３は、認証を行った脳反応パターン情報のユーザは正当性を有すると認証し、「認証可」を示す結果情報を生成する。そして、認証部１３３は、生成した結果情報を、通信部１１０に送信させる。通信部１１０は、結果情報を、認証の結果を利用する装置、例えば、施解錠装置４１０に送信し（ステップＳ６０７）、次の情報を受信するまで待機する（ステップＳ６０１に戻る）。
【００５８】
一方、判定部１３２が、算出した相関値が閾値以上でないと判定した場合には（ステップＳ６０６のＮＯ）、認証部１３３は、認証を行った脳反応パターン情報のユーザは正当性を有しないと認証し、「認証不可」を示す結果情報を生成する。そして、認証部１３３は、生成した結果情報を、通信部１１０に送信させる。通信部１１０は、結果情報を、認証の結果を利用する装置、例えば、施解錠装置４１０に送信し（ステップＳ６０８）、次の情報を受信するまで待機する（ステップＳ６０１に戻る）。
【００５９】
結果情報を受信した認証結果を利用する装置は、結果情報で示される内容に応じて処理を実行する。例えば、施解錠装置４１０の場合であれば、結果情報が、「認証可」を示す情報であれば、扉４００の鍵を開錠し、「認証不可」を示す情報であれば、扉４００の鍵を開錠しない。
【００６０】
図７は、認証情報３００において、環境情報３０３が対応付けられている場合の認証装置１００の動作を示すフローチャートである。ここでは、図６に示した処理を異なる内容について説明する。図７は、図６に示す処理とは、ステップＳ６０１のＮＯの場合に、ステップＳ６０３の前に、ステップＳ７０１〜Ｓ７０４の処理を行う点で異なる。したがって、ここでは、ステップＳ７０１〜Ｓ７０４についての処理を説明する。
【００６１】
ステップＳ７０１において、通信部１１０は、受信した情報がユーザを識別する識別情報であるか否かを判定する。受信した情報がユーザを示す識別情報でなかった場合には（ステップＳ７０１のＮＯ）、次の情報を受信するまで待機する（図６のステップＳ６０１に戻る。）。
【００６２】
受信した情報がユーザを示す識別情報であった場合には（ステップＳ７０１のＹＥＳ）、通信部１１０は、受信したユーザを示す識別情報を、制御部１３０に伝達する。制御部１３０は、受信したユーザを示す識別情報と一致するユーザ識別情報３０１を、認証情報３００を参照して特定する。そして、制御部１３０は、特定したユーザ識別情報３０１に環境情報３０３が対応付けられているか否かを判定する（ステップＳ７０２）。
【００６３】
環境情報３０３がユーザ識別情報３０１に対応付けられていた場合には（ステップＳ７０２のＹＥＳ）、制御部１３０は、その環境情報３０３で示される情報を、通信部１１０に脳反応検出装置２００ｂに送信するよう指示する。通信部１１０は、当該指示に基づき、環境情報３０３で示される情報を、脳反応検出装置２００ｂに送信する（ステップＳ７０３）。
【００６４】
環境情報３０３がユーザ識別情報３０１に対応付けられていなかった場合には（ステップＳ７０２のＮＯ）、制御部１３０は、通信部１１０に脳反応検出装置２００ｂに、環境情報なしを示す情報を送信するよう指示する。通信部１１０は、当該指示に基づき、環境情報なしを示す情報を脳反応検出装置２００ｂに送信する（ステップＳ７０４）。
【００６５】
なお、図７に示す処理を実行する場合には、脳反応検出装置２００ｂは、検出した脳反応パターンを送信する前に、ユーザを示す識別情報を送信する処理を行う。また、脳反応検出装置２００ｂは、受信した環境情報に従った処理を実行する機能も有することとする。脳反応検出装置２００ｂは、例えば、環境情報が、音楽ファイルであれば、音声出力機能（例えば、スピーカ）を有することとし、環境情報が画像ファイルや動画ファイルであれば、画像出力機能（例えば、モニター）を有することとする。
【００６６】
図７に示す処理を行うことにより、認証装置１００は、認証時の脳反応パターンを検出する際にユーザに、事前に認証に用いる脳波を測定した際に想起した印象深い思い出を、思い出しやすくさせる環境を提供することができる。これは、認証システム１において、認証時のユーザを、事前に脳波を測定したときのユーザに近い状況にすることができるためである。
【００６７】
このようにして、認証システム１において、ユーザ各々に固有の印象深い思い出を想起しているときの脳反応パターンを認証用の情報として用いることで、なりすまし等の不正を防止可能な認証方法を提供することができる。
【００６８】
以上が、認証装置１００の動作の説明である。
【００６９】
＜まとめ＞
上記実施の形態に示したように、認証装置１００は、ユーザの思い出を利用したいわば思い出認証と呼ぶべき認証手法を実現する。認証装置１００は、ユーザが特定の記憶、即ち、ユーザにとって印象深い思い出を想起しているときの脳波を認証に利用することで、他のユーザによるなりすまし等の不正が発生しにくい認証方法を提供することができる。ユーザにとって印象深い思い出は、ユーザにとって固有のものであるため、他のユーザはその内容を認識できず、また、どのような印象を抱いたかも認識できないので、同じ脳波を生じることができないためである。
【００７０】
＜補足＞
上記実施の形態に係る装置は、上記実施の形態に限定されるものではなく、他の手法により実現されてもよいことは言うまでもない。以下、各種変形例について説明する。
【００７１】
（１）上記実施の形態においては、特に記載していないが、認証装置１００は、更に、上記発明の特性を活かすべく、脳反応検出装置２００ｂから送信された脳反応パターン情報で示される脳反応パターンのなかから、ユーザが印象深い思い出を想起していると推定される区間を特定して、抽出する特定部を備えることとしてもよい。
【００７２】
特定部は、例えば、受信した脳反応パターン情報で示される脳反応パターンのうち、特定の脳反応パターンが顕著に現出する（振幅が大きい）区間や、特定の波形に類似する区間をユーザが印象深い思い出を想起していると推定される区間として特定することとしてよい。ここでいう特定の脳反応パターンや特定の波形は、例えば、予めシミュレーションにより、脳波を測定しているときにユーザが印象深い思い出を想起しているときの脳反応パターンと想起しているときの脳反応パターンとを比較することで特定することができる。図４（ａ）の例で言えば、波形図の一時間帯（複数の時間帯をきりとってもよい。）を切り取って、認証に用いることとしてよいし、図４（ｂ）の例で言えば、連続した時間の中で取得された複数枚のカラーコンター画像の中から、印象深い思い出を想起しているときのカラーコンター画像（１枚であってもよいし、複数枚であってもよい）のみを認証に用いることとしてもよい。
【００７３】
また、時間方向の特定ではなく、平面方向で特定の脳反応パターンが現出しているかを特定することとしてもよい。具体的には、脳反応パターン情報として、上記図４（ｂ）に示すような、周波数分布図、あるいは、ある周波数帯における振幅分布図を用いる場合には、当該分布図において、特定の記憶に関する領域部分（例えば、側頭葉部分）の画像に認証を用いる画像範囲を限定して、認証を行うこととしてもよい。
【００７４】
そして、認証装置１００の判定部１３２は、特定部が特定した区間のみの脳反応パターンを用いて、記憶部１２０に記憶されている脳反応パターンとの相関をとることとしてもよい。これにより、認証装置１００は特定部を備えることにより、ユーザの思い出を利用した認証の確度を更に高めることができる。
【００７５】
（２）上記実施の形態においては、ユーザが脳波を検出する際に、環境情報３０３を登録してもよいことを説明した。また、その際の環境情報としては、脳反応検出の際にユーザに提示した画像や動画、ユーザに聞かせた音声であってもよいことも説明した。しかしながら、環境情報３０３は、これらに限定されるものではなく、所定の状況下におけるユーザの行動を示す情報であってもよい。
【００７６】
ここでいう所定の状況下とは、脳波を測定する際にユーザに対して提供される仮想空間映像、例えば、ＶＲ（Virtual Reality）映像が提供される状況下をいい、所定の状況下におけるユーザの行動を示す情報とは、仮想空間映像内の空間、例えば、ＶＲ映像により提供されるＶＲ空間において、ユーザ自身の行動のことをいう。即ち、本補足においては、脳波による認証を行うとともに、ＶＲ空間におけるユーザの行動の相関に基づく認証も行う。ＶＲ空間内におけるユーザの行動は、他のユーザには認識することができないので、なりすまし等が発生しにくい認証システムを提供することができる。
【００７７】
当該構成を実現するために、脳反応検出装置２００ｂとしては、例えば、脳反応検出機能を備えたヘッドマウントディスプレイなどを利用することができるが、脳波を検出し、映像を提供することができれば、ヘッドマウントディスプレイに限定されるものではない。
【００７８】
そして、認証システム１においては、まず、ユーザの脳波を登録する段階で、脳反応検出装置は、ユーザに対してＶＲ映像を視聴させる。また、当該ＶＲ映像内においては、ユーザは、自身の現身となるアバターを、脳反応検出装置に接続されたコントローラを用いて行動させることができるとする。
【００７９】
脳反応検出装置は、当該ＶＲ空間内におけるユーザの行動を記録し、行動情報として、脳反応パターン情報とともに、認証装置１００に送信する。認証装置１００は、受信した脳反応パターン情報に対応付けて、環境情報３０３として、行動情報を登録する。ここで、行動情報は、ユーザが仮想空間上でとった一連の行動の流れを示す情報であってよく、一例としては、仮想空間上のアイテムを拾って、仮想空間に登場する人物に対して拾ったアイテムを渡し、代わりに別のアイテムを受け取ったというような一連の行動を示すものであってよい。
【００８０】
一方、認証時においても、脳反応検出装置は、ユーザに対して、同じＶＲ空間の映像を提供する。ユーザは、予め登録してある行動情報と同じ行動をとるようにし、脳反応検出装置は、ユーザがとった行動情報を、脳反応パターン情報とともに認証装置１００に送信する。
【００８１】
認証装置１００の判定部１３２は、受信した行動情報と、記憶部１２０に登録している行動情報との相関値を算出し、当該相関値が所定の閾値以上であるか否かを判定する。認証部１３３は、判定部１３２の行動情報の相関値が所定の閾値以上であると判定した場合に、ユーザが正当性を有すると認証し、所定の閾値未満であると判定した場合に、ユーザが正当性を有しないと認証する。このとき、認証部１３３は、脳波についても認証を行い、脳波及び行動の双方において、正当性を有すると認証した場合に、「認証可」としてもよいし、脳波と行動のいずれか一方で正当性を有すると認証した場合に、「認証可」とすることとしてもよい。
【００８２】
また、この場合には、認証装置１００は、脳波の相関による認証を行わず、ＶＲ空間におけるユーザの行動の相関のみで認証を行うこととしてもよい。また、ここでは、ＶＲ映像としているが、これは、ＶＲ映像に限るものではなく、ＡＲ（Augmented Reality）映像や２次元映像などであってもよい。
【００８３】
（３）上記実施の形態において、脳反応検出装置２００ｂと、認証装置１００とを別の装置として説明したが、これらは一体に形成されてもよい。即ち、脳反応検出装置２００ｂが認証装置１００としての機能を有することとしてもよい。
【００８４】
（４）上記実施の形態においては、脳反応パターン情報３０２にユーザ識別情報３０１を対応付けて記憶しておき、認証時に脳反応パターン情報にユーザを示す識別情報を対応付けておくことにより、認証を行うこととしたが、ユーザ識別情報３０１及びユーザを示す識別情報なしで認証を行うこととしてもよい。
【００８５】
即ち、予め記憶している脳反応パターン情報３０２のうちの一つと、認証時にユーザから検出した脳反応パターン情報とが、鍵と鍵穴のように一致して、ユーザを識別することなく、認証を実行することとしてもよい。図８に、この場合の認証装置１００の動作例を示す。図８は、認証装置１００が、ユーザ識別情報を用いることなく認証を行う場合の動作例を示したフローチャートである。
【００８６】
図８に示すように、認証装置１００の通信部１１０は、脳反応パターン情報を受信する（ステップＳ８０１）。通信部１１０は、受信した脳反応パターン情報を制御部１３０に伝達する。
【００８７】
制御部１３０は、伝達された脳反応パターン情報との相関値をとる対象となる脳反応パターン情報３０２を示す変数ｉを例えば、便宜上１に設定する（ステップＳ８０２）。変数ｉは、複数ある脳反応パターン情報３０２の中から１つを特定するために用いる変数である。
【００８８】
制御部１３０は、伝達された脳反応パターン情報と、認証情報３００におけるｉ番目の脳反応パターン情報３０２との間の相関値を算出する（ステップＳ８０４）。そして、制御部１３０は、全ての脳反応パターン情報３０２との間の相関値をとったか否かを判断する。即ち、変数ｉが、認証情報３００の全数と同じであるか否かを判定する。全ての脳反応パターン情報３０２との間の相関値をとっている場合に（ステップＳ８０４のＹＥＳ）、制御部１３０は、ステップＳ８０６に移行し、とっていない場合に（ステップＳ８０４のＮＯ）、ステップＳ８０５に移行する。
【００８９】
ステップＳ８０５において、制御部１３０は、変数ｉをインクリメントし、ステップＳ８０３の処理に移行する。
【００９０】
ステップＳ８０６において、制御部１３０は、算出した相関値のうち最も高い相関値を特定する（ステップＳ８０６）。そして、特定した相関値が所定の閾値を超えているか否かを判定する（ステップＳ８０７）。
【００９１】
所定の閾値を超えている場合には（ステップＳ８０７のＹＥＳ）、制御部１３０は、認証可を示す結果情報を生成し、通信部１１０に送信させて（ステップＳ８０８）、処理を終了する。所定の閾値を超えていない場合には（ステップＳ８０７のＮＯ）、制御部１３０は、認証不可を示す結果情報を生成し、通信部１１０に送信させて（ステップＳ８０９）、処理を終了する。
【００９２】
このような手法により、認証装置１００は、ユーザ識別情報３０１なしで認証を行うこともできる。なお、ここでは、相関値を用いた認証例を示したが、認証方法はこれに限るものではない。例えば、認証情報３００に記憶している脳反応パターン情報３０２と、認証時にユーザから検知した特定の思い出を想起しているときの脳反応パターン情報とから、特定の関数を用いて、所定の値を算出し、当該所定の値が認証可を示す値か、そうでないかに応じて認証を行うようにしてもよい。
【００９３】
（５）上記実施の形態においては、認証には、印象深い思い出を想起しているときの脳波に係る情報（脳反応パターンや、脳波の周波数分布、ある周波数の脳波の振幅分布など）を用いることとしたが、これら以外にも、以下のような認証を行ってもよい。
【００９４】
例えば、印象深い思い出を想起しているときの脳波を測定し、その脳波を、例えば、ｆＭＲＩ（functional Magnetic Resonance Imaging）を利用して、視覚化（画像化）した画像情報を認証用の情報として用いてよい。この場合、認証時においては、認証装置１００はユーザから測定した脳波を同様に画像化し、認証時に作成した画像と、事前に用意した脳波を視覚化した画像とを比較して相関を取る。そして、その相関値が所定以上であれば、ユーザの認証成功と判定するようにしてもよい。
【００９５】
なお、ここで、ユーザの印象深い思い出を想起しているときの脳波を視覚化することとしたが、これは、例えば、ある画像をユーザに見せておいて、その画像を予め認証用の情報として記憶する。そして、認証時にユーザはその見せられた画像を想起し、認証装置１００は、そのときに測定された脳波から視覚化した画像と、予め見せた画像とを比較して、認証を行うようにしてもよい。このように、認証システムは、脳波を視覚化した画像を認証に用いることもできる。
【００９６】
（６）上記実施の形態においては、認証システムによるユーザが印象深い思い出を想起しているときの脳波を利用した認証手法として、認証装置１００のプロセッサが認証プログラム等を実行することにより、認証することとしているが、これは認証装置１００において、集積回路（ＩＣ（Integrated Circuit）チップ、ＬＳＩ（Large Scale Integration））等に形成された論理回路（ハードウェア）や専用回路によって実現してもよい。また、これらの回路は、１または複数の集積回路により実現されてよく、上記実施の形態に示した複数の機能部の機能を１つの集積回路により実現されることとしてもよい。ＬＳＩは、集積度の違いにより、ＶＬＳＩ、スーパーＬＳＩ、ウルトラＬＳＩなどと呼称されることもある。すなわち、図１０に示すように、認証装置１００は、通信回路１１０ａと、記憶回路１２０ａと、取得回路１３１ａ、判定回路１３２ａ、認証回路１３３ａとを含む制御回路１３０ａとから構成されてもよい。そして、認証装置１００の各回路は、上記実施の形態に示した同名の各機能部と同様に機能することとしてよい。
【００９７】
また、上記認証プログラムは、プロセッサが読み取り可能な記録媒体に記録されていてよく、記録媒体としては、「一時的でない有形の媒体」、例えば、テープ、ディスク、カード、半導体メモリ、プログラマブルな論理回路などを用いることができる。また、上記認証プログラムは、当該認証プログラムを伝送可能な任意の伝送媒体（通信ネットワークや放送波等）を介して上記プロセッサに供給されてもよい。本発明は、上記認証プログラムが電子的な伝送によって具現化された、搬送波に埋め込まれたデータ信号の形態でも実現され得る。
【００９８】
なお、上記認証プログラムは、例えば、ActionScript、JavaScript（登録商標）などのスクリプト言語、Objective-C、Java（登録商標）などのオブジェクト指向プログラミング言語、HTML5などのマークアップ言語などを用いて実装できる。
【００９９】
（７）上記実施の形態に示した実施例および＜補足＞に示した各構成は、適宜組み合わせることとしてもよい。また、認証装置１００における動作は、整合がとれる範囲内で、その実行順序を変更したり、並列実行したりしてもよい。
【符号の説明】
【０１００】
１００  認証装置
１１０  通信部
１２０  記憶部
１３０  制御部
１３１  取得部
１３２  判定部
１３３  認証部
１４０  バス
２００ａ、２００ｂ  脳反応検出装置
３５０  ネットワーク
【図１】
2018190164.tif 000003
【図２】
2018190164.tif 000004
【図３】
2018190164.tif 000005
【図４】
2018190164.tif 000006
【図５】
2018190164.tif 000007
【図６】
2018190164.tif 000008
【図７】
2018190164.tif 000009
【図８】
2018190164.tif 000010
【図９】
2018190164.tif 000011
【図１０】
2018190164.tif 000012